(57)【要約】【課題】  偏光分離膜４１に対して位相差フィルム４４が接着剤により接着された層と反射膜４２の層とが平行とされ、ガラス４３を介して交互に配設されて成る位相差フィルム封入型の偏光変換素子４は、使用しているうちに繰り返し温度変化が加えられると、前記の層における膨張係数の差の影響で、変形してしまうという問題点があった。【解決手段】  偏光変換素子４の入射面４６または出射面４７の全面に、補強用のガラス板５１を貼る。あるいは、入射面４６，出射面４７の両方の面に、補強用のガラス５１を貼る。ガラス板５１は湾曲などはせず変形しないから、偏光変換素子４が変形しようとしても、その変形は防止される。【選択図】        図１
2005099067.tif 000002
【特許請求の範囲】
【請求項１】
偏光分離膜に対して位相差フィルムが接着剤により接着された層と反射膜の層とが平行とされ、ガラスを介して交互に配設されて成る位相差フィルム封入型の偏光変換素子において、
その入射面または出射面、或いはそれら両方の面に補強用のガラスを接着した
ことを特徴とする偏光変換素子。
【請求項２】
偏光分離膜に対して位相差フィルムが接着剤により接着された層と反射膜の層とが平行とされ、ガラスを介して交互に配設されて成る位相差フィルム封入型の偏光変換素子において、
その入射面と反射膜とに直交する側面に補強材を接着した
ことを特徴とする偏光変換素子。
【請求項３】
偏光分離膜に対して位相差フィルムが接着剤により接着された層と反射膜の層とが平行とされ、ガラスを介して交互に配設されて成る位相差フィルム封入型の偏光変換素子において、
その入射面または出射面、或いはそれら両方の面の光学的非有効領域の部分に、補強材を接着した
ことを特徴とする偏光変換素子。
【請求項４】
偏光分離膜に対して位相差フィルムが接着剤により接着された層と反射膜の層とが平行とされ、ガラスを介して交互に配設されて成る位相差フィルム封入型の偏光変換素子において、
上記接着剤として硬化後の弾性率が５００ＭＰａ以下のものを用いた
ことを特徴とする偏光変換素子。
【発明の詳細な説明】
【技術分野】
【０００１】
本発明は、光源からの光を偏光し、該偏光を利用して映像を表示する液晶プロジェクタに用いる偏光変換素子に関するものである。
【背景技術】
【０００２】
映像表示素子として偏光方向の揃った偏光を利用する液晶表示素子を用いている液晶プロジェクタでは、光源からの光（無偏光）を偏光する偏光変換素子が、必須の素子として組み込まれている。
図４は、液晶プロジェクタの構成を示す図である。図４において、１は光源、２は反射鏡、３Ａは第１レンズアレイ、３Ｂは第２レンズアレイ、４は偏光変換素子、５は集光レンズ、６はスクリーン、７は投射レンズ、８は色合成プリズム、９Ｒ，９Ｇ，９Ｂは出射側偏光板、１０Ｒ，１０Ｇ，１０Ｂは液晶表示素子、１１Ｒ，１１Ｇ，１１Ｂは入射側偏光板、１２Ｒ，１２Ｇ，１２Ｂはコンデンサレンズ、１３〜１５は全反射ミラー、１６，１７はダイクロイックミラー、１８は第１リレーレンズ、１９は第２リレーレンズ、２０は冷却ファン、５０は照明光学装置、１００は液晶プロジェクタである。
【０００３】
液晶表示素子１０Ｒ，１０Ｇ，１０Ｂは、信号に応じて映像を生成する透過型液晶表示素子である（なお、以後の説明において、液晶表示素子１０Ｒ，１０Ｇ，１０Ｂを代表して指す場合、単に液晶表示素子１０と表示することもある。）。
光源１，反射鏡２，第１レンズアレイ３Ａ，第２レンズアレイ３Ｂ，偏光変換素子４および集光レンズ５は、照明光学装置５０を構成している。この照明光学装置５０は、液晶表示素子１０Ｒ，１０Ｇ，１０Ｂを均一に照射するような偏光を供給する。
光源１から出射し、反射鏡２で反射された光は、第１レンズアレイ３Ａに入射する。第１レンズアレイ３Ａは、入射した光束をマトリックス状に配置された複数のレンズセルで複数の光束に分割し、効率よく第２レンズアレイ３Ｂと偏光変換素子４とを通過するように導く。
【０００４】
第２レンズアレイ３Ｂは、第１レンズアレイ３Ａと同様に、マトリックス状に配置された複数のレンズセルを持っており、各レンズセルは、対応する第１レンズアレイ３Ａのレンズセルの形状を、液晶表示素子１０Ｒ，１０Ｇ，１０Ｂ側に重畳して投影する。これにより、第１レンズアレイ３Ａと第２レンズアレイ３Ｂは、均一照明を行う。
偏光変換素子４は偏光変換ユニットがアレイ状に配列された素子であるが、第２レンズアレイ３Ｂからの光を、所定の直線偏光に揃える。そして、第１レンズアレイ３Ａの各レンズセルの投影像（即ち光源像）は、集光レンズ５により集光される。
照明光学装置５０を出た光は、その後コンデンサレンズ１２Ｒ，１２Ｇ，１２Ｂ、第１リレーレンズ１８，第２リレーレンズ１９を経て、各液晶表示素子１０Ｒ，１０Ｇ，１０Ｂ上に供給され、均一照明の映像とされる。
【０００５】
この過程で、光源１により出射された白色光は、ダイクロイックミラー１６，１７により、赤（Ｒ），緑（Ｇ），青（Ｂ）の３原色に分離され、それぞれ対応する液晶表示素子１０Ｒ，１０Ｇ，１０Ｂに照射される。なお、ここでは、ダイクロイックミラー１６は赤反射緑青透過特性のミラーであり、ダイクロイックミラー１７は緑反射青透過特性のミラーである。
各液晶表示素子１０Ｒ，１０Ｇ，１０Ｂには、入射側に入射側偏光板１１Ｒ，１１Ｇ，１１Ｂが、出射側に出射側偏光板９Ｒ，９Ｇ，９Ｂが、それぞれ備えられている。これらは、映像信号に応じて画素ごとに光の濃淡を変える光強度変調を行い、映像（光学像）を形成する。
【０００６】
液晶表示素子１０Ｒ，１０Ｇ，１０Ｂにより形成された映像（光学像）は、色合成プリズム８によって色合成され、更に、投射レンズ７によってスクリーン６上へと投射され、大画面映像を得ることが出来る。
なお、第１リレーレンズ１８と第２リレーレンズ１９は、光路長の差を補正するために介挿される。なぜなら、照明光学装置５０から液晶表示素子１０Ｒまでの光路長は、液晶表示素子１０Ｂ，１０Ｇまでの光路長に比し長くなっているので、それを補正する必要があるからである。
【０００７】
コンデンサレンズ１２Ｒ，１２Ｇ，１２Ｂは、液晶表示素子１０Ｒ，１０Ｇ，１０Ｂ通過後に光線が広がらないように事前に抑え、投射レンズ７によって効率のよい投射を実現するためのものである。全反射ミラー１３は、Ｂ光を折り曲げて液晶表示素子１０Ｂに導き、全反射ミラー１４と１５は、Ｒ光を折り曲げて液晶表示素子１０Ｒに導く。
以上のように構成された液晶表示装置は、小型であることとか、明るい画像が得られること等が特に要求される。従って、近年、液晶表示素子自体の小型化が進むとともに、光源から出射される光量も増加され、各光学部品に入射する単位面積当たりの光量が増加している。
【０００８】
このような液晶プロジェクタに用いられる偏光変換素子としては、従来種々の構造のものが考えられており、例えば、図５，図６に示すようなものがある。
図５は、偏光変換素子の第１の従来例を示す図である。符号は図４のものに対応し、４１は偏光分離膜、４２は反射膜、４３はガラス、４４は位相差フィルム、４５は接着剤、４６は入射面、４７は出射面である。図５（１）は偏光変換素子４の斜視図，図５（２）は（１）図の偏光変換素子４を上方から見下ろした図，図５（３）は（２）図の丸で囲んだ部分Ａの拡大図である。
この例では、偏光変換素子４は、それぞれ略４５度に傾斜させられて両側からガラス４３に挟み込まれた偏光分離膜４１と反射膜４２とが平行とされ、交互となるように配設されると共に、偏光分離膜４１を透過した光がガラス４３を通って出て来る部分の面に、位相差フィルム４４が貼り付けられた構成とされている。
【０００９】
図５（３）により、偏光分離膜４１の部分を詳細に説明する。偏光分離膜４１は、一方のガラス４３上に真空蒸着等により形成され、接着剤４５により他方のガラス４３と接着される。上方から入射して来た入射光（無偏光）は、偏光分離膜４１の作用により、Ｐ偏光とＳ偏光とに分離される。偏光分離膜４１を透過して行くのがＰ偏光であり、反射されて行くのがＳ偏光である。
透過したＰ偏光は、図５（２）に示すように、出射面４７のところで更に位相差フィルム４４を通過させられ、この通過の際にＳ偏光に変換される。他方、偏光分離膜４１で反射されたＳ偏光は、次に反射膜４２でそのまま反射される。それゆえ、偏光変換素子４の出射面４７から出て来る光は、全てＳ偏光に揃えられて出て来ることになる。
【００１０】
図６は、偏光変換素子の第２の従来例を示す図であり、符号は図５のものに対応している。図６（１）は偏光変換素子４の斜視図，図６（２）は（１）図の偏光変換素子４を上方から見下ろした図，図６（３）は（２）図の丸で囲んだ部分Ｂの拡大図である。
これは、例えば特開２００３−１６７１２５号公報に記載されているタイプのものであり、「位相差フィルム封入型偏光変換素子」とでも言うべきものである。構造上、図５のものと相違する点は、位相差フィルム４４を偏光分離膜４１と共にガラス４３に挟み込むようにしているという点である。即ち図６（３）に示すように、一方（右側）のガラス４３上に真空蒸着等により形成された偏光分離膜４１と、他方（左側）のガラス４３との間に、位相差フィルム４４を接着剤４５を介して挟み込んでいる。図５のものでは、位相差フィルム４４は出射面４７上に貼り付けられ、外部に露出していたが、これは内部に封入されている。
なお、図６の例では、偏光変換素子４の中央から左右が対称となるように、２つのユニットＵ1 ，Ｕ2 が合体されたものが示されている。
【００１１】
偏光分離膜４１の出射側には、それと平行となるよう位相差フィルム４４が配置される構成になるから、偏光分離膜４１を透過して来たＰ偏光は、直ぐ位相差フィルム４４を通過することになるが、その通過によりＳ偏光に変換される。その結果、図６（２）に示すように、偏光変換素子４の出射面４７から出て来る段階では、全てＳ偏光に揃えられていることになる。
【００１２】
【特許文献１】特開２００３−１６７１２５号公報
【発明の開示】
【発明が解決しようとする課題】
【００１３】
（問題点）
しかしながら、前記した従来の偏光変換素子には、次のような問題点があった。
第１の問題点は、図６に示した偏光変換素子は、使用しているうちに変形してしまうという点である。
第２の問題点は、温度の大きな上昇と低下が繰り返される環境で使用されることもあるわけであるが、そのような環境で使用されていると、偏光変換素子の偏光変換効率が著しく低下してしまう場合があるという点である。
【００１４】
（問題点の説明）
先ず第１の問題点について説明する。図６の偏光変換素子の変形は、温度変化による膨張，収縮の繰り返しにより生ずるものであるが、これを図７，８により説明する。
図７は、ガラス間に接着剤で位相差フィルムを挟み込んでいる部分の歪み力を示す図であり、符号は図６のものに対応している。偏光分離膜４１はガラス４３に蒸着されているので、付着力は極めて高く、両者は一体と考えてよい。また、接着剤４５とガラス４３の膨張係数の差は、接着剤４５と位相差フィルム４４の膨張係数の差に比べて非常に小さい。
【００１５】
液晶プロジェクタを使用する時には偏光変換素子は高温となるから、位相差フィルム４４と接着剤４５との境界には、膨張係数の差により図７に示すような力Ｆが働く。また、それに伴う作用反作用の関係で、接着剤４５とガラス４３との間には、力Ｇが働く。一方、液晶プロジェクタを使用しない時には偏光変換素子は常温となるから、上記のような力は働かない。
このように高温，常温を何回か繰り返している内に、位相差フィルム４４自身の劣化や接着剤４５との境界面での剥離、若しくは偏光変換素子が変形することになる。
図８は、偏光変換素子の温度による変形の１例を示す図である。この例では、入射側が凸になり、出射側が凹になるよう湾曲してしまった場合を示している。Ｄは湾曲の程度を表している。このように湾曲してしまうと、偏光変換素子４を通過して出て来る光の方向は平行とはならず、少しづつ異なってしまうから、これらの光によって表示される画像には、当然不具合が生ずることになる。
【００１６】
次に第２の問題点について説明する。偏光変換素子の偏光変換効率には、位相差フィルムにおける偏光回転効率も関係している。偏光回転効率とは、ある振動方向の直線偏光が入射された場合に、その内のどれ位の光がそれと直交する振動方向の光に変換されるかを表す値である（全てが変換されれば偏光回転効率１００％）。
この偏光回転効率が悪ければ偏光変換効率も悪くなるわけであるが、温度の大きな上昇と低下が繰り返される環境で使用されていると、偏光変換素子によっては、使用しているうちに著しく悪くなってしまう場合があった。
本発明は、以上のような問題点を解決することを課題とするものである。
【課題を解決するための手段】
【００１７】
前記課題を解決するため、本発明では、偏光分離膜に対して位相差フィルムが接着剤により接着された層と反射膜の層とが平行とされ、ガラスを介して交互に配設されて成る位相差フィルム封入型の偏光変換素子において、その入射面または出射面、或いはそれら両方の面に、補強用のガラスを接着することとした。
あるいは、前記偏光変換素子の入射面と反射膜とに直交する側面に、補強材を接着することとしてもよい。
更に、前記偏光変換素子の入射面または出射面、或いはそれら両方の面の光学的非有効領域の部分に、補強材を接着してもよい。
また、前記偏光変換素子において、位相差フィルムを接着する接着剤として、硬化後の弾性率が５００ＭＰａ以下のものを用いるようにする。
【発明の効果】
【００１８】
本発明の偏光変換素子によれば、次のような効果を奏する。
（１）位相差フィルム封入型偏光変換素子が、温度変化により変形するのを防止することが出来る。
本発明では、該偏光変換素子の入射面，出射面の全面にガラス板を貼ったり、入射面，出射面の光学的非有効領域に補強材を接着したりするので、偏光変換素子の変形を防止することが出来る。
（２）偏光変換効率の低下を防止することが出来る。
位相差フィルムを接着するのに使用する接着剤として、繰り返し温度変化が加えられても偏光回転効率が低下しないような接着剤（硬化後の弾性率が５００ＭＰａ以下のもの）を用いたので、偏光変換素子の偏光変換効率も低下しない。
【発明を実施するための最良の形態】
【００１９】
以下、本発明の実施形態を図面に基づいて詳細に説明する。
〔偏光変換素子の変形防止〕
図１は、本発明の偏光変換素子の第１の実施形態を示す図である。この実施形態は、偏光変換素子の変形を防止するためのものである。符号は図６のものに対応し、５１はガラス板である。
図１（２）の偏光変換素子４は、図６で示したような構造のものである。即ち、偏光分離膜と位相差フィルムとを同じ箇所に挟み込んだ層と、反射膜を挟み込んだ層とが平行とされ、交互になるよう配設された構造の偏光変換素子である。図１（１）のガラス板５１は、偏光変換素子４の変形を防止するための補強用のガラス板である。ガラス板５１の平面のサイズは、偏光変換素子４の出射面４７のサイズと同じにされている。
【００２０】
図１（３）は、偏光変換素子４の出射面４７に、ガラス板５１を接着剤により接着した状態のものを示している。このように接着すれば、偏光変換素子４が図８で説明したように変形しようとしても、補強用のガラス板５１に邪魔されて、変形が阻止される。
因みに、ガラス板５１として板厚１ｍｍのガラスを、硬化後の弾性率が２０００ＭＰａの紫外線硬化型の接着剤で出射面４７に接着し、温度を２５℃と１５０℃に１時間おきに変えることを１００回（１００サイクル）繰り返すという温度サイクル試験を行なってみたところ、偏光変換素子４に何らの変形も生じなかった。
【００２１】
偏光変換素子４の変形を防止するために補強用のガラス板５１を接着する面は、何も出射面４７に限られるわけではない。出射面４７の代わりに入射面４６に接着しても良いし、入射面４６，出射面４７の両方に接着しても良い。両方に接着した場合、補強は一層強固となり、変形防止の機能は一層大となる。
図１（４）は、補強用のガラス板５１を偏光変換素子４の入射面４６に接着するようにしたものを示し、図１（５）は、補強用のガラス板５１を、偏光変換素子４の入射面４６，出射面４７の両方に接着するようにしたものを示している。
【００２２】
図２は、本発明の偏光変換素子の第２の実施形態を示す図である。この実施形態も、偏光変換素子の変形を防止するためのものである。符号は図１のものに対応し、５２は補強材である。
これは、偏光変換素子４の入射面４６および反射膜４２に直交する側面（２つある）に、補強材５２を接着したものである。この側面はもともと光が通るようにしておく必要はない所であるので、補強材５２としては、光を通すガラスを用いても良いし、光を通さない材料（例、金属やプラスチック等）を用いても構わない。補強材５２を前記側面に接着すると、偏光変換素子４が図８に示した如き変形をしようとしても、補強材５２の抵抗を受けることになるから、該変形は防止される。
【００２３】
因みに、補強材５２として板厚２ｍｍのガラスを用い、硬化後の弾性率が２０００ＭＰａの紫外線硬化型の接着剤で接着し、温度を２５℃と１５０℃に１時間おきに変えることを１００回繰り返す温度サイクル試験を行なってみたところ、偏光変換素子４に何らの変形も生じなかった。
なお、上記した側面は、入射面４６と反射膜４２とに直交するだけでなく、出射面４７，偏光分離膜４１，位相差フィルム４４等に対しても直交しているから、これらを用いて定義することも出来る（例えば、「出射面４７と偏光分離膜４１とに直交する側面」というように）。そのように異なった表現で定義したとしても、指している側面は同じものである。
【００２４】
図３は、本発明の偏光変換素子の第３の実施形態を示す図である。この実施形態も、偏光変換素子の変形を防止するためのものである。符号は図２のものに対応し、５３は補強材である。
これは、入射面４６あるいは出射面４７の領域の内の光学的非有効領域（画像表示に関与する光は通らない領域）に、補強材５３を接着したものである。この光学的非有効領域とは、図２で説明した「側面」（入射面４６および反射膜４２に直交する側面）に沿った領域である。
光学的非有効領域においては画像表示に関与する光は通らないので、補強材５３としては、光を通すガラスを用いても良いし、光を通さない材料（例、金属やプラスチック等）を用いても構わない。
【００２５】
図３（１）は、出射面４７の上下の光学的非有効領域に補強材５３を接着したものを示している。偏光変換素子４が図８に示したように変形しようとしても、その変形は補強材５３により防止される。図３（２）は、入射面４６の上下の光学的非有効領域に補強材５３を接着したものを示し、図３（３）は、入射面４６，出射面４７の両面の光学的非有効領域に、補強材５３を接着したものを示している。いずれも、図３（１）のものと同様に、偏光変換素子４の変形を防止する。
【００２６】
〔偏光変換効率の低下防止〕
ところで、偏光分離膜と位相差フィルムとを同じ箇所に挟み込んだ位相差フィルム封入型偏光変換素子（図６）においては、図６（３）に示したように、位相差フィルムの両側に接着剤の層が存在する。それゆえ、位相差フィルムを通過する光は、接着剤をも通過することとなる。
従って、偏光変換素子の使用回数がそれほど多くないのに、偏光変換効率が著しく低下してしまう場合があるという第２の問題点の原因を究明するに当たり、位相差フィルムの偏光回転効率に注目するときには、位相差フィルムの前後に横たわる接着剤の影響も検討してみる必要がある。
【００２７】
図９は、位相差フィルムを接着剤で挟み込んだ測定サンプルの構造を示す図である。符号は図６のものに対応し、４８は測定サンプルである。測定サンプル４８の構造は、上下のガラス４３の間に接着剤４５により位相差フィルム４４を接着して挟み込んだものであり、上からガラス４３，接着剤４５，位相差フィルム４４，接着剤４５，ガラス４３という順になっている。ガラス４３は、４ｃｍ×４ｃｍのサイズで、板厚２ｍｍとした。
このような測定サンプル４８において、使用する接着剤４５の種類をいろいろに変えて、温度サイクル試験を行えば、接着剤４５をも含めた偏光回転効率の、温度に対する変化を調べることが出来る。
【００２８】
図１０は、前記測定サンプル４８の耐温度サイクル性、即ち接着剤で挟み込んだ位相差フィルムの耐温度サイクル性を示す図である。縦軸は偏光回転効率（％）を表し、横軸はサイクル数を表している。耐温度サイクル性とは、温度の上昇と下降の繰り返し（温度サイクル）に対し、性能の維持がどの程度行われるかを示すものである。なお、図１０の測定での１サイクルとは、温度を２５℃と１５０℃に１時間おきに変えることを１回行なうことを言う。横軸の最大値が１００であることから分かるように、温度サイクル試験は１００サイクルまで行なった。
曲線Ｌは接着剤４５として硬化後の弾性率が１００ＭＰａのものを用いた場合の変化を示し、曲線Ｍは接着剤４５として硬化後の弾性率が５００ＭＰａのものを用いた場合の変化を示し、曲線Ｈは接着剤４５として硬化後の弾性率が２０００ＭＰａのものを用いた場合の変化を示している。
これらの曲線の見方は、次の通りである。曲線Ｈ上の点Ｑについて言うならば、温度サイクル試験をＮ回までやった時点では、測定サンプル４８の偏光回転効率はＫ（％）になっていたということを表している。
【００２９】
曲線Ｈは、温度サイクル試験の回数が増加するにつれて、偏光回転効率が著しく低下している。従って、接着剤４５として弾性率２０００ＭＰａのものを用いた場合は、耐温度サイクル性が悪いということが分かる。これに対し曲線Ｌは、温度サイクル試験の回数が増加しても殆ど低下しないし、曲線Ｍは曲線Ｌに比べればやや低いものの、ほぼその値を維持している。なお、この程度の低下は実用上殆ど支障はない。
図が煩雑となるのを避けるため図中には示していないが、硬化後の弾性率が１００ＭＰａと５００ＭＰａの間にある接着剤を用いた場合の曲線は、曲線ＬとＭとの間に位置している。
【００３０】
これらの事実から分かるように、位相差フィルム４４を接着する接着剤４５として、硬化後の弾性率が５００ＭＰａ以下のものを用いていれば、接着剤の層も含めて考えた場合の位相差フィルムの偏光回転効率は、実用上支障がある程には低下しないことが判明した。位相差フィルムのところでの偏光回転効率が低下しなくなれば、この偏光回転効率が原因となって偏光変換効率が低下することもなくなる。
そこで、図６の如き構造の偏光変換素子４を製造する際、位相差フィルム４４を接着する接着剤４５として、硬化後の弾性率が５００ＭＰａ以下のものを用いることとする。そうすれば、たとえ液晶プロジェクタの使用回数が多くなり、偏光変換素子に加えられる温度変化の回数が多くなったとしても、偏光変換効率が著しく低下してしまうようなことはなくなる。
【図面の簡単な説明】
【００３１】
【図１】本発明の偏光変換素子の第１の実施形態を示す図
【図２】本発明の偏光変換素子の第２の実施形態を示す図
【図３】本発明の偏光変換素子の第３の実施形態を示す図
【図４】液晶プロジェクタの構成を示す図
【図５】偏光変換素子の第１の従来例を示す図
【図６】偏光変換素子の第２の従来例を示す図
【図７】接着剤で位相差フィルムを挟み込んでいる部分の歪み力を示す図
【図８】偏光変換素子の温度による変形の１例を示す図
【図９】位相差フィルムを接着剤で挟み込んだ測定サンプルの構造を示す図
【図１０】接着剤で挟み込んだ位相差フィルムの耐温度サイクル性を示す図
【符号の説明】
【００３２】
１…光源、２…反射鏡、３Ａ…第１レンズアレイ、３Ｂ…第２レンズアレイ、４…偏光変換素子、５…集光レンズ、６…スクリーン、７…投射レンズ、８…色合成プリズム、９Ｒ，９Ｇ，９Ｂ…出射側偏光板、１０Ｒ，１０Ｇ，１０Ｂ…液晶表示素子、１１Ｒ，１１Ｇ，１１Ｂ…入射側偏光板、１２Ｒ，１２Ｇ，１２Ｂ…コンデンサレンズ、１３〜１５…全反射ミラー、１６，１７…ダイクロイックミラー、１８…第１リレーレンズ、１９…第２リレーレンズ、２０…冷却ファン、４１…偏光分離膜、４２…反射膜、４３…ガラス、４４…位相差フィルム、４５…接着剤、４６…入射面、４７…出射面、４８…測定サンプル、５０…照明光学装置、５１…ガラス板、５２，５３…補強材、１００…液晶プロジェクタ
【図１】
2005099067.tif 000003
【図２】
2005099067.tif 000004
【図３】
2005099067.tif 000005
【図４】
2005099067.tif 000006
【図５】
2005099067.tif 000007
【図６】
2005099067.tif 000008
【図７】
2005099067.tif 000009
【図８】
2005099067.tif 000010
【図９】
2005099067.tif 000011
【図１０】
2005099067.tif 000012